(57)【要約】  子供が操作できないキャップを有するコンテナが開示される。一の実施形態では、キャップは、オーバーレイ部分(１)と中実のベース(２)を包含する。オーバーレイは、キャップの中実なベースの少なくとも一部を覆って取り付けられる。オーバーレイの第一部分の端部では、オーバーレイは、キャップの開閉を容易にするための親指タブを有している。二つのノッチは、オーバーレイの管状のスカートの中にあり、第一端部部分が第二端部部分に接するオーバーレイの両側に位置している。キャップが閉じられるときには、オーバーレイはキャップ上に直接に固定される。上方の力が親指タブだけに加えられと、その後、オーバーレイの第一端部部分が持ち上がるが、キャップの丈夫なベースは依然として、コンテナに固定されているままである。上方の力が親指タブに加えられて、同時に、キャップの管状のスカートに接して固定するように、十分な内向きの力が、オーバーレイの両側に加えられたならば、その後、キャップの中実のベースは、オーバーレイの第一端部部分と一緒に同時に持ち上げられ、その結果、コンテナが開く。第二の実施形態では、コンテナとキャップ組立体は、キャップにスライド部分を含む。スライド部分は、コンテナとキャップ組立体から分離して供給されてもよく、子供が操作できないキャップまたは、子供が操作できるキャップのいずれかが形成されるかをユーザーが決定することを可能にする。子供が操作できない実施形態では、スリッド部分は、キャップに構成されて、スライド部分の少なくとも一部は、ヒンジの近くまたは近接した位置でキャップから外側に突出する。キャップを開けるために、ユーザーは十分な力をスライド部分に加えて、ヒンジから離れる方向にスライド部分を押して、スライド部分の少なくとも一部は、ヒンジのほぼ反対のキャップの部分から外側に突出する。
2007504063.tif 000002
【特許請求の範囲】
【請求項１】
中実のベースを含む、コンテナに取り付けるためのキャップ組立体であって、
前記組立体は、オーバーレイと親指タブと中実のベースを有していて、
前記オーバーレイは、第一部分と第二部分を有し、
前記親指タブは、前記オーバーレイの第一部分に接続され、
前記オーバーレイは、子供が操作できないコンテナを形成するために、前記コンテナの前記中実のベースの少なくとも一部分を覆って取り付けられている、キャップ組立体。
【請求項２】
前記オーバーレイは、該オーバーレイの外周に垂直に、そして外周の周りから外側に延びている管状のスカートを有していて、
少なくとも二つのノッチは、中実のベースの外周に垂直に、そして外周の周りから外側に延びている管状のスカートを具備する前記中実のベースを具備するコンテナに取り付けるために、前記オーバーレイの前記管状のスカートの両側に設置されている、請求項１に記載の組立体。
【請求項３】
前記コンテナに取り付けられる組立体であって、前記オーバーレイの前記第二部分は、前記中実のベース部分に固定されるヒンジに取り付けられる、請求項１に記載の組立体。
【請求項４】
前記オーバーレイは更にオーバーレイヒンジを有していて、前記オーバーレイヒンジは、前記第一部分と前記第二部分を接続する、請求項１に記載の組立体。
【請求項５】
コンテナ用のキャップ組立体であって、
前記組立体はヒンジとキャップを有していて、
前記キャップはスライド部分とスロットを有し、
前記スロットは第一端部と第二端部を有し、
前記スライド部分とスロットは、平行に配置されていて、前記スライド部分は、前記スロットの内側で長手方向に延びて、前記スロットの前記第一端部から突出する、キャップ組立体。
【請求項６】
前記スライド部分は、少なくとも二つの突出部分を有していて、前記突出部分は、前記スライド部分の両側面上にある、請求項５に記載の組立体。
【請求項７】
前記突出部分は、前記スロットと相互作用するように構成され、前記スライド要素が前記スロットの前記第二端部に向かってスライドすることを妨げる、請求項６に記載の組立体。
【請求項８】
前記突出部分は、十分な力が適用されたときに、前記スライド部分を前記スロットの前記第二端部に向かってスライドすることを可能にし、十分な力を欠くときには、前記スライド部分を、前記第一端部に押し戻すことを可能にするように構成された請求項７に記載の組立体。
【請求項９】
前記スロットの前記第一端部は、前記ヒンジにほぼ近接している、請求項５に記載の組立体。
【請求項１０】
前記スロットの前記第二端部は、前記ヒンジのほぼ反対側にある、請求項５に記載の組立体。
【請求項１１】
前記キャップは、中実の下面を更に有し、前記スロットは、前記中実の下面の上方に位置付けられる請求項５に記載の組立体。
【請求項１２】
コンテナに取り付けられた、請求項１〜１１に記載の組立体。
【請求項１３】
前記コンテナは円筒形である、請求項１２に記載の組立体とコンテナ。
【請求項１４】
前記組立体は、防湿性を有する請求項１２に記載の組立体とコンテナ。
【請求項１５】
水分を吸収する内張り材を更に有する、請求項１２に記載の組立体とコンテナ。
【請求項１６】
香料、芳香、ガスおよび酸化防止剤からなるグループから選択される材料を含む、内張り材を有する、請求項１２に記載の組立体とコンテナ。
【請求項１７】
コンテナとキャップ組立体(１)とスライド部分(２)を具備するキットであって、前記組立体は、前記キャップ中にスロットを有し、前記スライド部分は、前記スライド部分の両側面上に少なくとも２つの突出部分を有する、キット。
【発明の詳細な説明】
【技術分野】
【０００１】
本出願は、２００３年９月５日に出願されたジーン−ピアージタウドの”子供が操作できない安全機能を有する、一体のコンテナと押し上げ式キャップ組立体”と表題が付けられた、出願番号６０／５００，４２８の米国の仮出願と、２００４年１月２３日に出願された、ジーン−ピアージタウドの”子供が操作できないスライド部分を有する、一体のコンテナとキャップ組立体”と表題が付けられた、出願番号６０／５３８，５９６の米国の仮出願に、優先権を主張する。
【０００２】
本発明は、子供が操作できない安全キャップと、そのようなキャップを有するコンテナに関する。
【背景技術】
【０００３】
薬剤、特に処方された薬剤に、うっかりして近づくことから子供を保護することの必要性に対する認識が高まっている。処方された薬剤のほんの１，２個の錠剤の摂取が、時々、子供にとって致命となる。更に、大人すなわち、一定の巧みな操作と手先の器用さを必要とする錠剤のコンテナを開けるための指示を理解する認識能力を有する、いかなる人間によっても、容易にそして簡単に開けられる処方された薬剤用のコンテナを提供する必要性に対する認識が高まっている。そのような人間は、その上、処方された薬剤に近づくために錠剤コンテナを開ける行為は、故意の行為であって、錠剤コンテナ中の処方された薬剤に近づく必要があるときにだけ、行われるということを理解する能力を有していると考えられる。
【０００４】
市場には、さまざまな、旧来のいわゆる”子供には扱えない”または”子供が操作できない”錠剤コンテナがある。これらは、処方箋が、薬剤師が一以上の複数の錠剤、タブレット、ジェルカプセル等を提供することを必要とする、処方薬を詰める際に使用するために、調剤薬剤師によって一般的に採用されている。例えば、コンテナは、錠剤コンテナ用の”押して回転する”閉じ口または、錠剤コンテナ用の”アローアライメント（arrow-alignment)"閉じ口を含んでもよい。
【０００５】
錠剤コンテナ用の”押して回転する”システムは、コンテナを開けるために、錠剤コンテナ用の閉じ口またはキャップは、コンテナの軸方向に押し下げられて、同時に回転されなければならないシステムについて普通、説明する。錠剤コンテナ用の”アローアライメント”システムは、閉じ口またはキャップ上のアローは、コンテナを開けるために、コンテナ上に型押しされたような薬剤コンテナ上のアローと一直線に合わせならなければならないシステムについて普通、説明する。しかしながら、これらのコンテナは、大人にとっても使用するのに、しばしば複雑である。
【０００６】
カップまたは閉じ口がコンテナと一体になったタイプの旧来のコンテナ組立体は、キャップを開けることを補助するように構成されている、カップに取り付けられた固定された突出部（”親指タブ”としても言及される）を有してもよい。更に一般的には、この固定された突出部は、ヒンジに対向していて、それゆえ、固定された突出部に十分な力が加えられたときに、対象ユーザーに、コンテナを空けることを可能にするレバー機能を果たす。しかしながら、これらのコンテナは、子供によって簡単に開けられる。
【０００７】
それゆえ、本発明の目的は、子供が操作できないが、大人によって、簡単に開けられる、改良された、コンテナとキャップシステムを提供することである。
【発明の開示】
【０００８】
ここでは、子供が操作できないキャップを有するコンテナを開示する。一の実施形態では、カップは、オーバーレイ部分(１)と中実のベース(２)を含む。オーバーレイは、キャップの中実のベースの少なくとも一部分を覆って取り付けられる。オーバーレイの第一部分の端部では、オーバーレイは、キャップの開閉を容易にするための親指タブを有している。オーバーレイの管状のスカートには、２つのノッチがあり、第一端部部分が、第二端部部分に接するオーバーレイの両側に設置されている。キャップが閉じられるときには、オーバーレイは、キャップ上に直接固定される。上方への力だけが親指タブに加えられたならば、その後、オーバーレイの第一端部部分が持ち上げられ、キャップの中実のベースは、依然としてコンテナに固定されたままである。上方への力が、親指のタブに加えられると同時に、十分な内側への力が、キャップの管状のスカートに接して固定するために、オーバーレイの両側に加えられたならば、その後、キャップの中実のベースがオーバーレイの第一端部部分と一緒に、同時に持ち上げられ、その結果、コンテナが開く。第二の実施形態では、コンテナとキャップ組立体は、キャップにスライド部分を含む。スライド部分は、コンテナとキャップ組立体から分離して提供されてもよく、ユーザーに、子供が操作できないキャップ、または、子供が操作できるキャップのどちらかが形成されるかを決定することを可能にする。子供が操作できない実施形態では、スライド部分は、キャップ中に構成されていて、スライド部分の少なくとも一部は、ヒンジに近いまたは近接した位置でキャップから突出している。キャップを開けるために、ユーザーは、スライド部分に十分な力を加えて、ヒンジから離れる方向にスライド部分を押すので、スライド部分の少なくとも一部は、ヒンジのほぼ反対のキャップの部分の外側に突出する。次に、ユーザーは、キャップを空けるために、上向き方向に第二の十分な力を加える。
【０００９】
定義
通常ここで使用されるような”子供が操作できない”薬剤コンテナ用のキャップまたは閉じ口の用語は、以下の方法で検証されることを意味する。子供が操作できないパッケージが、子供達のグループにより検証されるときには、彼らへのパッケージを開ける適切な方法の実演前では、少なくとも８５％のこれらの子供達によって、子供が操作できないパッケージは開けることができず、彼らがパッケージを開けるための適切な方法の実演を受けた後でも、まだ、少なくとも８０％のこれらの子供達によって開けることができない。子供が開けることが出来ないパッケージが大人の検証グループに提供された場合には、少なくとも９０％のこれらの大人によって、パッケージは、開けることができなければならない。パッケージが再び閉じられることが可能なようにデザインされている場合には、少なくとも９０％のこれらの大人により、再び閉じられることが出来るが、パッケージを開ける適切な方法の実演が行われていない子供達の少なくとも８５％によって、依然として開けることができず、実演がなされた後でも、８０％の子供達により、開けることができない。
【００１０】
通常ここで使用されるような”耐湿性を有する(moisture-tight)”という用語は、３日後にコンテナへの湿気の進入が、水分で約７５０マイクログラムより少なく、好ましくは、約２５０マイクログラムより少なく、より好ましくは、約１５０マイクログラムの水より少なくすることを意味する。これらの量は、以下の試験方法によって決定される。(ａ)コンテナの中に１グラム±０．２５グラムのモレキュラーシーブ(molecular sieve)を置いて、重さを記録する、(ｂ)完全にコンテナを閉じる、(ｃ) 相対湿度８０％で２２．２℃（７２°Ｆ）の状態の環境チャンバー中に閉じたコンテナを置く、（ｄ）一日後、分子篩を含むコンテナの重さを量る、（ｅ）４日後、分子篩を含むコンテナの重さを量る、（ｆ）コンテナに進入する湿気を、マイクログラム単位の水として計算するために、第４日のサンプルの重さから、第一日のサンプルの重さを引く。
【００１１】
コンテナ
コンテナは、薬剤を保存するのに適したいかなる形状を有していてもよい。好ましい実施形態では、コンテナは円筒形形状である。一般的には、コンテナは一つの端部で閉じられていて、反対の端部で開いている。コンテナが両端部で開いていてもよい。コンテナが閉じられているときに、コンテナが耐湿性を有してもよい。
【００１２】
キャップは、ヒンジによって、コンテナに取り付けられている。キャップはまた、コンテナの開口端部と接続する、接合シーリング要素を有し、その結果コンテナとキャップ組立体を形成する。
【００１３】
組立体は好ましくは、成形プラスチックである。組立体のための好ましい材料は、ポリプロピレン、ポリエチレンのような熱可塑性のプラスチックを含む。組立体は、アブラムの米国特許第４，７８３，０５６号、アブラムらの米国特許第ＲＥ３７，６７６号または、アブラムらの米国特許第６，３０３，０６４号で開示された工程に従って実現されてもよい。これらの特許の開示を、引用することにより本明細書の記載に替える。
【００１４】
コンテナは、物質を吸収または放出する、内張り材を含んでもよい。例として、内張り材構成要素が水蒸気を吸収するならば、シールを浸潤するいかなる湿気も、またはコンテナにあるいかなる湿気もおそらく吸収されるので、低い相対湿度で内容物を維持するために内張り材が包含されてもよい。内張り材は、乾燥剤を混入したプラスチックでもよい。好ましい乾燥剤を混入したプラスチックは、全てヘカルの米国特許第５，９１１，９３７号、米国特許第６，２１４，２５５、米国特許第６，１３０，２６３号、米国特許第６，０８０，３５０号、米国特許第６，１７４，９５２号、米国特許第６，１２４，００６号、そして米国特許第６，２２１，４４６で開示されている物を含むが、これらに限定されない。これらの特許の開示を、引用することにより本明細書の記載に替える。薬剤を完全に乾燥することが許されない場合には、封入された薬剤の酸化を防ぐ不活性ガス、香料、芳香または、湿気のようなガスを内張り材は、発してもよい。
【発明を実施するための最良の形態】
【００１５】
コンテナとキャップの下に中実ベースを有するキャップ組立体
子供にいたずらされないコンテナとキャップ組立体の一つの実施形態が、図１〜６Ｂに図示されている。これらの図に図示されるように、組立体１０は、ベース２８と、内部空洞２７、外部面２５、上側部分２１、そして下側部分２６を有するコンテナ２０を有している。組立体１０はまた中実のベース３１とベース３１の外周に垂直に、そして外周の周りから外側に延びる管状のスカート３３を有している。キャップ３０は、オーバーレイ６０を含んでいて、オーバーレイ６０は、ベースの外周に垂直に、そして外周の周りから外側に延びている管状のスカート６２を有するベース６１を有していて、オーバーレイは、キャップの中実のベース３１と管状のスカート３３の少なくとも一部分を覆って取り付けられるように固着されている。オーバーレイ６０は、第一部分６５と第二部分６６を有している。第一部分の端部では、オーバーレイは、コンテナの開閉を容易にするための親指タブ３６を有している。オーバーレイ６０の第二部分６６は、キャップがヒンジ４０によってコンテナに取り付けられた端部位置に近接した領域を覆っている。親指タブ３６とヒンジ４０は、キャップ３０のスカートにほぼ垂直に、そしてスカートから外側に延びている。２つのノッチ６７Ａと６７Ｂ（図示しない）は、管状のスカート６２中にあって、第一部分６５が第二部分６６に接する、オーバーレイ６０の両側に設置されている。
【００１６】
オーバーレイヒンジ７０は、第一部分６５とオーバーレイの第二部分６６を接続する。
【００１７】
コンテナはまた、コンテナ２０の外部表面２５から半径方向に、外側に突出するフランジ２４を有することは任意である。ヒンジ４０は、また、コンテナフランジ２４に取り付けられてもよい。
【００１８】
ヒンジ４０および／またはオーバーレイヒンジ７０は、コンテナの開閉の際に屈曲点として機能する溝４２を有している。一の実施形態では、より厚い部分４１Ａと４１Ｂを橋渡しする、プラスチック材料の比較的薄い部分によって特徴づけられている。溝４２は、比較的に簡単に屈曲し、ふたが閉じられたときに、ヒンジが折り重なる位置として、そして、ふたが開かれたときに、ヒンジが開く位置として作用する。ヒンジ４０においては、４１Ａは、キャップのスカートに取り付けられ、４１Ｂは、コンテナに取り付けられる。
【００１９】
キャップ３０が閉じられるときには、オーバーレイ６０は、キャップの中実のベース３１上に直接固定される。上方の力だけが親指タブ３６に加えられると、その後、オーバーレイの第一部分６５は持ち上げられて、オーバーレイヒンジ７０で屈曲し、第二部分６６は依然として固定されたままであり、結果的にキャップの中実のベース３１はコンテナ２０に依然として固定される。
【００２０】
図２Ｃに示されたように、上方の力が親指タブ３６に加えられて、同時に十分な内向きの力が、オーバーレイ６０をキャップ３０の管状のスカート３３に接して、固定するためにオーバーレイ６０の対向側面６８Ａと６８Ｂに加えられると、その後、キャップの中実のベース３１は、オーバーレイの第一部分６５と一緒に持ち上げられ、結果的にコンテナが開かれる。
【００２１】
”十分な力”は、オーバーレイ６０の対向側面６８Ａと６８Ｂを、キャップ３０の管状のスカート３３に接して固定させる閾値の力より大きい力であり、キャップの中実のベース３１を、オーバーレイの第一部分６５と一緒に、同時に持ち上げさせることを可能にし、結果的にコンテナを開ける。意図せずに、薬を、または多量の薬等を飲む危険を理解できない歳の子供達は、しきい値以上の力を加えるのに必要な力を通常有していない。
【００２２】
当業者であれば、十分な力が適用されたときのみ屈曲する、オーバーレイ６０の対向側面６８Ａと６８Ｂが、どのように構成されるかについて理解するであろう。一の実施形態では、キャップは、対向側面６８Ａと６８Ｂを構成するのに使用される熱可塑配合物に、適切な量の高分子弾性体を含む。
【００２３】
中実のベース３１を覆うオーバーレイ６０の範囲の割合は、オーバーレイが、望ましい機能を提供する限り、図で示されている割合から変えてもよい。オーバーレイは、上方の力だけが親指タブに加えられたならば、第一部分６５だけが持ち上がるように、適切な大きさでなければならない。そして、上方への力が親指のタブに加えられると同時に、十分な内側への力が６８Ａと３８Ｂに加えられたならば、オーバーレイ６０（第一部分６６と第二部分６５の両方を含む）と中実のベース３１の両方が持ち上がるように、適切な大きさでなければならない。
【００２４】
第二部分６６は、力が、親指タブのみに加えられたときに、第二部分６６が中実のベース３１に依然として固定される限り、いかなる適切な方法で、中実のベース３１に固定されてもよい。適切な固定方法は、型成形、コモールド成形(co-molding)、インモールド成形(in-mold)または接着方法を含む。
【００２５】
ノッチ６７Ａと６７Ｂは、親指タブに力が加えられて、６８Ａと６８Ｂに十分な内向きの力が加えられたときに、第二部分６６を十分な屈曲から妨げない、いかなる適切な大きさでもよい。
【００２６】
第二部分６６を持ち上げるために必要とされる力の程度は、少なくとも、構成材料、ノッチの大きさ、溝の位置、溝の形状と深さ、および親指タブの大きさに基づき変化する。
【００２７】
コンテナとスライド部分を有するキャップ組立体とキット
図７から９で示されるように、コンテナとキャップ組立体８０は、キャップ８４にスライド部分８２を包含している。コンテナは、閉じられたときに、耐湿性を有することは任意である。コンテナとキャップ組立体８０とスライド部分８２を包含するキットは、非組立て形式（図９参照のこと）で提供されてもよい。その後、消費者は、子供が操作できないキャップ機能が必要かどうかを決めることができる。消費者は、子供が操作できないキャップ、または子供操作できるキャップを形成するために、所望の方向に、スライド部分８２を挿入できる。組み立てられると、スライド部分は、スライド部分とスロットが、平行に配置され、スライド部分が、スロットの内側で長手方向に延びるように、スロットの中に挿入される。このように、同一のコンテナ組立体は、一方では、子供が使用できない機能を有するように構成され、他方では、この機能が必要されないときでも使用できるように構成されることができる。図９は、一体のキャップとコンテナ組立体９０に関する、組み立てられていないスライド部分８２の一の実施形態を図示する。
【００２８】
子供が操作できない機能を含むために、消費者は、ヒンジ４０の近くに、または近接したスロット８６の開口部にスライド部分８２を挿入できる。次に、スライド部分８２がユーザーにより係合されないときには、スライド部分８２の少なくとも一部は、ヒンジ４０近くの、または近接した位置のキャップ８４から外側に突出する。コンテナとキャップ組立体は、組立て品が、子供が操作できない機能を包含するために、キャップ中に挿入されたスライド部分を含むように、消費者に供給されることができることは、任意である。
【００２９】
十分な力が、二つの垂直方向に加えられたときには、ユーザーはキャップを開けることができる。例えば、図７と８で図示されたように、ユーザーは、ヒンジ４０から離れる方向にスライド部分８２をスライドするように十分な力を加えると、スライド部分の少なくとも一部分が、ヒンジのほぼ反対のキャップ部分から外側に突出する。（図８参照のこと）この位置でスライド部分を保持すると同時に、ユーザーは、次に、キャップが開けられ、ユーザーがコンテナ内部の内容物に近づくことを可能とするのに十分な力をスライド部分８２の新しく露出した部分に上側の方向（すなわち第一の力に垂直に）に加える。スライド部分８２は、キャップの外に十分な量の部分が延びるように構成されていて、その結果、ユーザーに、キャップを開けるために、上側の方向に十分な力を加えることを可能にする。
【００３０】
ユーザーがスライド部分８２への力を解放すると、スライド部分８２はその最初の位置に戻る。最初の位置に戻る際には、スライド部分８２の少なくとも一部分が、ヒンジ４０の近くまたは近接した位置で、キャップ８４のヒンジ側から外側に突出し、または、スライド部分のほぼ全ての部分は、ヒンジのほぼ反対側のキャップ８４部分から外側に突出しない。
【００３１】
図示しない、子供が操作できる実施形態では、スライド部分は、ヒンジのほぼ反対側のスロット８６の開口部に挿入される。スライド部分８２の少なくとも一部は、ヒンジ４０からほぼ反対の位置で、キャップ８４から外側に突出する。次に、ユーザーは、キャップ８４の外側に伸びているスライド要素部分に上方の力を単に加えることによって、キャップを開けることができる。
【００３２】
スライド部分は、キャップ８４に構成されたスロット８６に取り付けられるように構成される。（図９参照のこと）スライド部分の一部は、スライド部分の両側面から突出する。一例として、スライド部分は、２つの突出部分８８Ａと８８Ｂを含んでもよい（図９参照のこと）。スライド部分がキャップに挿入されると、これらの部分は、スライド部分が挿入された方向に、スライド要素を付勢させ続けるために、バネのように作用する。例えば、スライド部分が、子供が操作できない機能を含んでいるならば、スライド部分は、キャップのヒンジ側に向かって付勢される。スライド部分が、子供が使用できない機能を含んでいなければ、スライド部分は、ヒンジのほぼ反対側に向かって付勢される。キャップのスロットは、コンテナ組立体の防湿特性に影響しないように、キャップ９０の下面より上方にある。
【００３３】
他の実施形態では、コンテナ組立体８０は、２つのショット射出成形工程または、インモールドリニア成形(in mold liner)工程によって実現されてもよい。コンテナ組立体は、自動または手動のいずれかで、成形されたコンテナとスリーブを組み立てることによって、実現されてもよい。
【００３４】
当業者は、ここで説明された本発明の実施形態の多くの等価品を、単なる、ありきたりの実験を行うことにより、理解され、または確かめることができる。そのような等価品が、請求項によって包含されることを意図している。
【図面の簡単な説明】
【００３５】
【図１Ａ】図1Ａは、キャップの下に中実のベースを有するコンテナとキャップ組立体の斜視図である。
【図１Ｂ】図1Ｂは、キャップの下に中実のベースを有するコンテナとキャップ組立体の別の斜視図である。
【図１Ｃ】図1Ｃは、キャップの下に中実のベースを有するコンテナとキャップ組立体の別の斜視図である。
【図２Ａ】図２Ａは、キャップの下に中実のベースを有するコンテナとキャップ組立体の側面図である。
【図２Ｂ】図２Ｂは、キャップの下に中実のベースを有するコンテナとキャップ組立体の別の側面図である。
【図２Ｃ】図２Ｃは、キャップの下に中実のベースを有するコンテナとキャップ組立体の別の側面図である。
【図３Ａ】図３Ａは、キャップが閉じた位置での、キャップの下に中実のベースを有するコンテナとキャップ組立体の側面図である。
【図３Ｂ】図３Ｂは、キャップが閉じた位置での、キャップの下に中実のベースを有するコンテナとキャップ組立体の別の側面図である。
【図３Ｃ】図３Ｃは、キャップが閉じた位置での、キャップの下に中実のベースを有するコンテナとキャップ組立体の別の側面図である。
【図４】図４は、図３Ｂの実施形態の上面図である。
【図５】図５は、キャップが開いた位置での、図３Ｂの実施形態の上面図である。
【図６Ａ】図６Ａは、図５の実施形態の上面図である。
【図６Ｂ】図６Ｂは、キャップが閉じた位置での、図３Ｂの実施形態の上面図である。
【図７】図７は、キャップが閉じた位置での、スライド要素を含むキャップを有するコンテナの上部部分の斜視図である。
【図８】図８は、キャップが開いた位置での、スライド要素を含むキャップを有するコンテナの上部部分の斜視図である。
【図９】図９は、スライド要素と、スライド要素のためのスペースを伴う、キャップを有するコンテナを含むキットの説明図である。
【図１Ａ】
2007504063.tif 000003
【図１Ｂ】
2007504063.tif 000004
【図１Ｃ】
2007504063.tif 000005
【図２Ａ】
2007504063.tif 000006
【図２Ｂ】
2007504063.tif 000007
【図２Ｃ】
2007504063.tif 000008
【図３Ａ】
2007504063.tif 000009
【図３Ｂ】
2007504063.tif 000010
【図３Ｃ】
2007504063.tif 000011
【図４】
2007504063.tif 000012
【図５】
2007504063.tif 000013
【図６Ａ】
2007504063.tif 000014
【図６Ｂ】
2007504063.tif 000015
【図７】
2007504063.tif 000016
【図８】
2007504063.tif 000017
【図９】
2007504063.tif 000018
【国際調査報告】
2007504063.tif 000019
2007504063.tif 000020
2007504063.tif 000021
2007504063.tif 000022
2007504063.tif 000023
2007504063.tif 000024